(57)【特許請求の範囲】
【請求項１】
代金の決済に使用されるＩＣカードであって、
前記代金の決済に使用可能な残高情報が記憶された残高記憶部と、
前記ＩＣカードの供託金を示す供託金情報が記憶されたデポジット記憶部と、
前記ＩＣカードの利用者による前記ＩＣカードの使用の状態を示す数値からなる利用情報が記憶された利用情報記憶部と、
前記ＩＣカードが接続されるＩＣカード処理装置からの前記残高情報を更新する要求を受けてこの残高情報を更新し、前記残高情報の更新に伴って前記利用情報記憶部に記憶されている利用情報を更新し、この利用情報が予め設定されている還元条件に達したことを確認すると、前記デポジット記憶部に記憶されている供託金情報をもとに前記残高記憶部に記憶されている残高情報に前記供託金情報で示される金額を加算し、加算した金額を前記デポジット記憶部に記憶されている供託金情報より減算する制御回路と
を備える
ことを特徴とするＩＣカード。
【発明の詳細な説明】
【０００１】
【発明の属する技術分野】
本発明は、読み出し書き換え可能な情報を記録したＩＣカードに関し、より具体的には、利用者から供託金（デポジット）を徴収して発行されるＩＣカードに関する。
【０００２】
【従来の技術】
決済用や、交通パスなどの回数券用などに、情報を磁気的に記録した磁気記録カードやメモリチップなどを内蔵したＩＣカードを用いたシステムが広く利用されている。このようなシステムは、プリペイドカードやＩＣカードを利用することによって、利用者にとっては常時携帯が可能で高い利便性を提供する一方、事業者にとっては、顧客の固定化が図れるとともに、管理・運用の合理化や省力化などシステム全体の効率化が図れるなど、多くの利点を有している。
【０００３】
このようなシステムでは、例えば、予め利用者が代金を前払いして磁気記録カードを購入し、物品・サービスの提供を受ける際に代金決済に使用する。また、予め利用者が代金を前払いしてＩＣカードにその代金に相当する価値情報をチャージし、このＩＣカードを物品・サービスの提供を受ける際の代金決済に使用する。このような代金前払いのシステムは、利用者にとっては小銭、釣り銭が不要となり、発行者（事業者）にとっては、代金前払いのため代金回収リスクがなく、代金回収の合理化が図れるなど双方にメリットがあり、便利な支払手段として急速に普及拡大している。
【０００４】
【発明が解決しようとする課題】
ところで、上述した磁気記録カードは、前払い料金残高が０となった使用済みカードを、利用者が発行者に対して返却する動機付けがないため、使用済みカードの回収率が低い。使用済みカードが回収できれば、これを再利用して発行できるが、回収できない場合、カードを新規に製造することになる。磁気カードの製造コストは、カード発行者が負担しているのが実情である。
【０００５】
一方、ＩＣカードの場合、製造コストが磁気カードに比べて高額なので、ＩＣカードの発行時に、利用者は供託金（デポジット）をカード発行者に供託している。このデポジットによってカードの回収率の向上が期待できる。しかしながら、カード利用者にとっては、カード発行者に供託しているデポジットは、ＩＣカードを保有している限り、実質的にはカード利用者の経済的負担となっており、カード購入意欲の減退へつながるおそれがある。
【０００６】
本発明は、以上のような問題点を解消するためになされたものであり、ＩＣカードを、発行者の経済的負担を低減した上で、利用者に利用しやすくすることを目的とする。
【０００７】
【課題を解決するための手段】
本発明に係るＩＣカードは、代金の決済に使用されるＩＣカードであって、代金の決済に使用可能な残高情報が記憶された残高記憶部と、ＩＣカードの供託金を示す供託金情報が記憶されたデポジット記憶部と、ＩＣカードの利用者によるＩＣカードの使用の状態を示す数値からなる利用情報が記憶された利用情報記憶部と、ＩＣカードが接続されるＩＣカード処理装置からの残高情報を更新する要求を受けてこの残高情報を更新し、残高情報の更新に伴って利用情報記憶部に記憶されている利用情報を更新し、この利用情報が予め設定されている還元条件に達したことを確認すると、デポジット記憶部に記憶されている供託金情報をもとに残高記憶部に記憶されている残高情報に供託金情報で示される金額を加算し、加算した金額をデポジット記憶部に記憶されている供託金情報より減算する制御回路とを備えるものである。
このＩＣカードによれば、ＩＣカードの利用者に対し、利用情報をもとに供託金が還元（加算）される。
【００１３】
【発明の実施の形態】
以下、本発明の実施の形態について図を参照して説明する。
図１は、本発明の実施の形態におけるデポジットカードシステムの構成例を示す構成図であり、本システムは、ＩＣカード１００とＩＣカード処理装置１２０とを備える。
ＩＣカード１００は、集積回路チップ１１０と集積回路チップ１１０に接続されるアンテナコイル１０６とからなる。
【００１４】
集積回路チップ１１０は、前払いされて未決済の残高情報（第１の価値情報）が記憶された残高記憶部（第１の記憶部）１０１，ＩＣカード１００の発行時に支払われたデポジット（供託金）の金額情報（第２の価値情報）が記憶されたデポジット記憶部（第２の記憶部）１０２，ＩＣカード１００の累積利用金額に関する利用情報が記憶された利用情報記憶部１０３と、制御回路１０４と、データの変復調等を行う無線部１０５とからなり、無線部１０５にアンテナコイル１０６が接続される。
【００１５】
ＩＣカード処理装置１２０は、全体を制御するための制御部１２１が設けられ、制御部１２１には、電波送受信用アンテナ（送受信手段）１２２と、メモリ１２３とが接続される。
このように構成されたＩＣカード１００をＩＣカード処理装置１２０にかざすと、ＩＣカード１００のアンテナコイル１０６とＩＣカード処理装置１２０の電磁波送受信用アンテナ１２２とが電磁結合し、ＩＣカード処理装置１２０側から電源が供給されて集積回路チップ１１０は動作を開始する。
【００１６】
ここで、ＩＣカード処理装置１２０側からデータの読み出し要求があると、この読み出し要求情報が、アンテナコイル１０６を経由して集積回路チップ１１０に伝達され、集積回路チップ１１０内の無線部１０５で受信される。無線部１０５ではこの情報を復調して制御回路１０４に出力する。すると、制御回路１０４は各記憶部いずれかのデータを読み出して無線部１０５へ送出し、無線部１０５はこのデータを変調してアンテナコイル１０６を介しＩＣカード処理装置１２０側へ送信する。
【００１７】
また、ＩＣカード処理装置１２０側からＩＣカード１００へのデータの書き込みがあると、この書き込みデータは同様に無線部１０５で復調され制御回路１０４へ出力される。制御回路１０４は、この書き込みデータを入力すると、各記憶部いずれかへの書き込みを行う。
【００１８】
以下、本システムの動作について図２のフローチャートを用いて説明する。
利用者が、例えばＩＣカード１００を利用して商品を購入する場合、購入金額の支払いのため、ＩＣカード１００をＩＣカード処理装置１２０にかざす。このことにより、動作を開始した集積回路チップ１１０の無線部１０５に対し、ＩＣカード処理装置１２０の制御部１２１は、メモリ１２３に格納されている所定のプログラムに則って、つぎに示す動作を行う。まず、制御部１２１は、残高記憶部１０１に記憶されている残高情報の読み出しを要求する。
【００１９】
この要求を受けた制御回路１０４は、予め格納されたプログラムに則って残高記憶部１０１に記憶されている残高情報を読み出し、前述したことにより、ＩＣカード処理装置１２０へ送信する。送信された残高情報を受け付けた制御部１２１は、前述したプログラムに則って、残高情報より購入金額を減算して新たな残高情報を生成し、これを、ＩＣカード１００に送出する。減算された新たな残高情報を受けた制御回路１０４は、残高記憶部１０１に記憶されている残高情報を新たな残高情報に更新する（ステップＳ２０１）。
【００２０】
以上のようにして、ＩＣカード１００における残高情報が更新されると、制御回路１０４は、利用情報記憶部１０３に記憶されている累積利用金額に、上記購入金額分を追加（加算）する（ステップＳ２０２）。
次いで、制御回路１０４は、デポジット記憶部１０２に記憶されている金額情報にデポジットがあるかどうかを確認する（ステップＳ２０３）。ステップＳ２０３の確認で、デポジットがない場合、制御回路１０４は、動作を終了する。
【００２１】
ステップＳ２０３の確認で、デポジットがある場合、制御回路１０４は、つぎのステップＳ２０４で、利用情報記憶部１０３に記憶されている累積利用金額情報における累積利用金額が、予め設定されている規定値（還元条件）以上かどうかを確認する。ステップＳ２０４の確認で、累積利用金額が規定値を超えていない場合、制御回路１０４は、動作を終了する。
【００２２】
ステップＳ２０４の確認で、累積利用金額が規定値以上である場合、制御回路１０４は、デポジット記憶部１０２が記憶しているデポジットを示す金額情報より、予め設定されている所定の金額（還元金額）を減算する（ステップＳ２０５）。ステップＳ２０５では、例えば、デポジットが５００円であった場合、予め設定されている所定の金額として２５０円を減額する。この場合、この処理によって、デポジット記憶部１０２に記録されている金額情報（価値情報）は、２５０円を示すものとなる。
【００２３】
次いで、制御回路１０４は、ステップＳ２０５で減算した金額を、残高記憶部１０１に記憶されている残高情報に追加（加算）する（ステップＳ２０６）。このことにより、ＩＣカード１００の残高が増加したことになり、デポジットの一部がＩＣカード１００の利用者に還元されたことになる。この後、制御回路１０４は、利用情報記憶部１０３に記憶されている累積利用金額を演算（累積利用金額−予め設定されている規定値）し更新する（ステップＳ２０７）。
【００２４】
また、ステップＳ２０４の確認で、累積利用金額が規定値以上である場合、制御回路１０４が、デポジット記憶部１０２が記憶している総てのデポジットを消去し（ステップＳ２０５）、デポジット全額を残高記憶部１０１に記憶されている残高情報に追加するようにしてもよい（ステップＳ２０６）。この場合、デポジット記憶部１０２は、１ビットの構成とし、デポジットあり／なしのみの情報を記憶する構成とすればよい。なお、還元金額は、当然ではあるが、デポジットの金額以下である。また、複数回に分けて還元する場合、還元金額を適宜分割してデポジットとなるようにすればよい。
【００２５】
以上示したように、本実施の形態では、利用者がＩＣカード１００を利用して支払いをすることにより、ＩＣカード１００で支払われた金額が所定金額以上となると、デポジットの一部が還元されるようにした。このことにより、本実施の形態によれば、ＩＣカードの利用者にとっては、ＩＣカードを還元条件に達するまで利用すれば、デポジットが自動還元されるため、利用者の経済的負担を小さくすることができ、カード購入意欲の減退を抑制できるようになる。
【００２６】
また、ＩＣカード発行者にとっては、利用者のカード購入意欲の減退を抑止することができるため、ＩＣカードの売り上げ増加が期待できるようになる。また、カードの利用をデポジットの還元条件とすれば、還元目当ての利用者によるカード利用の促進が期待できるようになる。
【００２７】
なお、上記実施の形態では、ＩＣカード１００の制御回路１０４が、残高記憶部１０１に記憶されている残高情報の更新に伴って利用情報を更新し、利用情報記憶部１０３に記憶されている利用情報が予め設定されている還元条件を満たしたときにデポジット記憶部１０２に記憶されている金額情報をもとに残高記憶部１０１に記憶されている残高情報に供託金に対応する金額情報を追加するようにしたが、これに限るものではない。
【００２８】
例えば、ＩＣカード１００による支払いが発生した場合、ＩＣカード処理装置１２０の制御部１２１が、まず、デポジット記憶部１０２の金額情報の読み出しをＩＣカード１００に対して要求する。この要求により、制御部１２１が、ＩＣカード１００より金額情報を受け取り、この情報よりデポジットの有無を確認する（ステップＳ２０３に対応）。
【００２９】
次いで、制御部１２１は、利用情報記憶部１０３の利用情報の読み出しをＩＣカード１００に対して要求する。この要求により、制御部１２１が、ＩＣカード１００より利用情報を受け取ると、この利用情報が還元条件を満たしているかどうかを確認する（ステップＳ２０４に対応）。この後、利用情報が還元条件を満たしている場合、制御部１２１は、ＩＣカード１００に対して残高記憶部１０１に記憶されている残高情報の読み出しを要求する。
【００３０】
この要求を受けたＩＣカード１００より、残高記憶部１０１に記憶されている残高情報がＩＣカード処理装置１２０へ送信され、この残高情報を受け取ると、制御部１２１は、還元金額を購入金額より減じ、この減額された購入金額を残高情報より減算して新たな残高情報を生成し、これを、ＩＣカード１００に送出する。減算された新たな残高情報を受けた制御回路１０４は、残高記憶部１０１に記憶されている残高情報を新たな残高情報に更新する。
【００３１】
加えて、制御部１２１は、デポジット記憶部１０２に記憶されているデポジットの金額情報より上記還元金額を減ずる指示を制御回路１０４に送出するなどのことにより、デポジット記憶部１０２の記憶内容を変更させる。
以上のことによっても、利用情報記憶部１０３に記憶されている利用情報が還元条件を満たしていれば、デポジットが還元されるようになる。
【００３２】
ところで、上述では、累積利用金額（利用情報）が還元条件に達した場合、デポジットを還元するようにしたが、これに限るものではない。利用情報記憶部１０３に、ＩＣカード１００を利用して支払いが行われた回数を利用情報として記憶し、この利用情報における回数が還元条件に達したら、デポジットを還元するようにしてもよい。また、利用情報記憶部１０３に、ＩＣカード１００に対する累積のチャージ額を利用情報として記憶し、この利用情報における累積のチャージ額が還元条件に達したら、デポジットを還元するようにしてもよい。また、カード発行後の経過日数を利用情報としてもよく、単位月当たりの利用回数を利用情報としてもよく、１回の利用金額を利用情報としてもよい。
【００３３】
また、上述では、還元条件に達した場合、ＩＣカードで利用できる残高にデポジット分を還元して増額するようにしたが、これに限るものではない。例えば、前払い式ではなく利用額を後払いする方式の場合、利用条件などが還元条件に達した場合、請求金額よりデポジット相当分を減じるようにしてもよい。また、還元する金額を、現金で利用者に返金するようにしてもよい。また、残高記憶部１０１，デポジット記憶部１０２，利用情報記憶部１０３は、各々カード内に持たず、ＩＣカード処理装置や、他の決済センタ側のホスト装置に内蔵させ、カードの識別番号にもとづいて、各記憶部が記憶する情報にアクセスするようにしてもよい。
【００３４】
【発明の効果】
以上説明したように、本発明によれば、利用情報をもとに供託金情報で示される金額をＩＣカードで利用可能となるようにし、供託金を還元するようにしたので、ＩＣカードが、発行者の経済的負担を低減した上で、利用者にとって利用しやすくなるという、すぐれた効果が得られる。
【図面の簡単な説明】
【図１】  本発明の実施の形態におけるデポジットカードシステムの構成を示す構成図である。
【図２】  本発明の実施の形態におけるデポジットカードシステムの動作を示すフローチャートである。
【符号の説明】
１００…ＩＣカード、１０１…残高記憶部、１０２…デポジット記憶部、１０３…利用情報記憶部、１０４…制御回路、１０５…無線部、１０６…アンテナコイル、１１０…集積回路チップ、１２０…ＩＣカード処理装置、１２１…制御部、１２２…電波送受信用アンテナ、１２３…メモリ。
【図１】
0003900966.tif 000002
【図２】
0003900966.tif 000003